(57)【特許請求の範囲】
【請求項１】
電話機付きのファクシミリ装置等の端末あるいはモデムに接続するのが電話回線か直流電源かを選択する第１のリレーと、モデムと電話回線との接続を制御する第２のリレーと、前記第２のリレーに並列にコンデンサと抵抗を直列接続した回路と、直流ループ形成回路をバイパスするか否かを制御する第３のリレーと、電話機付きのファクシミリ装置等の端末へ送信するリング信号を制御する第４のリレーとを備えたことを特徴とするモデム装置。
【請求項２】
電話機付きのファクシミリ装置の端末あるいはモデムに対して、電話回線又は直流電源のいずれかを選択して接続する第１のリレーと、前記モデムと前記第１のリレーにより接続された電話回線との接続を制御する第２のリレーと、前記第２のリレーに並列にコンデンサと抵抗を直列接続した回路と、直流ループ形成回路をバイパスするか否かを制御する第３のリレーとを備えたことを特徴とするモデム装置。
【請求項３】
前記請求項２記載のモデム装置は、さらに、前記電話機付きのファクシミリ装置の端末へ送信するリング信号を制御する第４のリレーを備えたことを特徴とするモデム装置。
【請求項４】
端末とモデムとを接続する第１の回路と、前記端末とモデムとを前記端末からの信号を整流するダイオードブリッジと直流回路とからなる直流ループ形成回路を介して接続する第２の回路と、前記端末と前記直流回路に電源を供給する直流電源と、前記第１の回路又は前記第２の回路を選択して接続するリレーとを備え、前記リレーにより、前記第１の回路を選択した場合には、前記直流電源と前記直流ループ形成回路とが接続され、前記第２の回路を選択した場合には、前記直流電源は前記直流ループ形成回路をバイパスすることを特徴とするモデム装置。
【請求項５】
前記モデム装置は、さらに、前記端末及び前記絶縁トランスを接続する回路に対して、電話回線又は前記直流電源のいずれかを選択して接続する第１のリレーを備えたことを特徴とする請求項４記載のモデム装置。
【請求項６】
前記モデム装置は、さらに、前記端末又は前記電話回線とモデムとの接続を制御する第２のリレーと、前記第２のリレーに並列にコンデンサと抵抗を直列接続した回路とを備えたことを特徴とする請求項４又は５いずれか記載のモデム装置。
【発明の詳細な説明】
【０００１】
【発明の属する技術分野】
本発明は電話回線や電話機付きのファクシミリ装置等の端末に接続されるモデム装置に関するものである。
【０００２】
【従来の技術】
従来、電話回線や端末をモニタするモデム装置の構成は特開昭６１−２５１２４８号の中の図２に記載されたものが知られている。
【０００３】
図４に従来のモデム装置の構成を示す。
図４において、通常の動作中はスイッチ６、７、８は実線で示すように接続され、端末部１は信号線Ａを経てモデム部２にデータを送信する。また、モデム部２は信号線Ｂを経て端末部１にデータを送信する。これらの信号をモニタする場合、モニタ装置をコネクタ９に接続する。コネクタ９には信号線Ａの信号はドライバ４により、信号線Ｂの信号はドライバ３によりそれぞれ供給されるため、モニタ装置はこれらの信号をモニタすることができる。
【０００４】
【発明が解決しようとする課題】
しかし、従来のモデム装置は上記のようにモデム装置の外部にモニタ装置を持つことが要求されている。
【０００５】
【課題を解決するための手段】
上記課題を解決するために本発明のモデム装置では、
（１）電話回線あるいは電話機付きのファクシミリ装置等の端末と絶縁トランスとの間にコンデンサと抵抗を直列接続し、かつ前記直列接続されたコンデンサと抵抗に並列にリレーを接続した回路を備えたことや
（２）電話回線あるいは電話機付きのファクシミリ装置等の端末と絶縁トランスとの間にコンデンサと抵抗を直列接続し、かつ前記直列接続されたコンデンサと抵抗に並列にリレーを接続した回路を備え、モデムにおいてある一定の信号を検出し、処理する手段を有したことや
（３）電話機付きのファクシミリ装置等の端末あるいはモデムに接続するのが電話回線か直流電源かを選択する第１のリレーと、モデムと電話回線との接続を制御する第２のリレーと、前記第２のリレーに並列にコンデンサと抵抗を直列接続した回路と、直流ループ形成回路をバイパスするか否かを制御する第３のリレーと、電話機付きのファクシミリ装置等の端末へ送信するリング信号を制御する第４のリレーとを備えたことにより課題を解決している。
【０００６】
これらの構成をとることにより、モデム装置の外部にモニタ装置を持たなくてもモデムにおいてモニタ処理することが可能となる。
【０００７】
第１の発明は、電話回線あるいは電話機付きのファクシミリ装置等の端末と絶縁トランスとの間に前記電話回線あるいはコンデンサと抵抗を直列接続し、かつ前記直列接続されたコンデンサと抵抗に並列にリレーを接続した回路を備えた構成としたものであり、従来問題となっていたモデム装置の外部にモニタ装置を持つという構成をとらなくてもモデムにおいてモニタ処理するという作用を有する。
【０００８】
第２の発明は、電話回線あるいは電話機付きのファクシミリ装置等の端末と絶縁トランスとの間にコンデンサと抵抗を直列接続し、かつ前記直列接続されたコンデンサと抵抗に並列にリレーを接続した回路を備え、モデムにおいてある一定の信号を検出し、処理する手段を有した構成としたものであり、従来問題となっていたモデム装置の外部にモニタ装置を持つという構成をとらなくてもモデムにおいてモニタ処理するという作用を有する。
【０００９】
第３の発明は、電話機付きのファクシミリ装置等の端末あるいはモデムに接続するのが電話回線か直流電源かを選択する第１のリレーと、モデムと電話回線との接続を制御する第２のリレーと、前記第２のリレーに並列にコンデンサと抵抗を直列接続した回路と、直流ループ形成回路をバイパスするか否かを制御する第３のリレーと、電話機付きのファクシミリ装置等の端末へ送信するリング信号を制御する第４のリレーとを備えた構成としたものであり、従来問題となっていたモデム装置の外部にモニタ装置を持つという構成をとらなくてもモデムにおいてモニタ処理するという作用を有する。
【００１０】
（実施の形態１）
図１は本発明に係るモデム装置の構成の一実施例を示し、図１において、モデム１１はデジタル・データを公衆電話回線で伝送するためにアナログ信号に変復調する作用をもっており、近年ではその主要回路はＩＣに集積化された構成をとっている。１２はモデムに接続される一般の公衆電話回線あるいは電話機付きのファクシミリ装置等の端末であり、モデム１１との間でデータのやりとりを行う。絶縁トランス１３はモデム１１側の電圧レベルと電話回線側の電圧レベルとの差を変圧する作用をもっている。抵抗１４は信号レベルを調整する作用をもっており、コンデンサ１５は直流信号を遮断する作用をもっている。リレー１６はモデム１１と電話回線あるいは電話機付きのファクシミリ装置等の端末１２との接続をオン、オフする作用をもっている。
【００１１】
次にこのように構成された実施例の動作について説明する。リレー１６がオンしているとき、電話回線あるいは電話機付きのファクシミリ装置等の端末１２からの信号は絶縁トランスを介してモデム１１に伝送される。逆にモデム１１からの信号も電話回線あるいは電話機付きのファクシミリ装置等の端末１２へ伝えられる。一方、リレー１６がオフしているときには電話回線あるいは電話機付きのファクシミリ装置等の端末１２からの信号はリレー１６経由ではモデム１１へ伝送されず、逆にモデム１１からの信号も電話回線あるいは電話機付きのファクシミリ装置等の端末１２へリレー１６経由では伝送されない。しかし、リレー１６と並列に抵抗１４とコンデンサ１５があるので、交流信号は双方に伝達することが可能となる。
すなわち、たとえば電話をすることを例にあげれば、双方の音声信号のやりとりは一方の電話からもう一方の電話を呼び出し、受話器をとった瞬間から始まる。従って、両者のいわゆるオフフックリレーがオンの状態でなければ相手側の状態は知ることができない。ところが本発明におけるモデム装置の構成をとるならばこれが可能となる。つまり、リレー１６がオフの状態にあっても抵抗１４とコンデンサ１５の回路側からＡＣ的に相手側の状態をモニタすることが可能となる。しかも、従来のように外部にわざわざモニタ装置を追加する必要もなくモデム内部の信号処理において十分対応できるものである。
【００１２】
（実施の形態２）
図２は本発明に係るモデム装置の構成の一実施例を示し、図２において、モデム２１はデジタル・データを公衆電話回線で伝送するためにアナログ信号に変復調する作用をもっており、近年ではその主要回路はＩＣに集積化された構成をとっている。２２はモデムに接続される一般の公衆電話回線あるいは電話機付きのファクシミリ装置等の端末であり、モデム２１との間でデータのやりとりを行う。絶縁トランス２３はモデム２１側の電圧レベルと電話回線側の電圧レベルとの差を変圧する作用をもっている。抵抗２４は信号レベルを調整する作用をもっており、コンデンサ２５は直流信号を遮断する作用をもっている。リレー２６はモデム２１と電話回線あるいは電話機付きのファクシミリ装置等の端末２２との接続をオン、オフする作用をもっている。モデム内に設けられた信号検出および処理手段２７は、電話回線あるいは電話機付きのファクシミリ装置等の端末２２からの交流信号、例えばファクシミリにおけるＣＮＧ信号や電話機のＤＴＭＦ信号である＃や＊信号を検出し、これによってパスワードやその他のメッセージを伝送したり、相手側の状態をモニタしたりする作用をもっている。
【００１３】
次にこのように構成された実施例の動作について説明する。リレー２６がオンしているとき、電話回線あるいは電話機付きのファクシミリ装置等の端末２２からの信号は絶縁トランスを介してモデム２１に伝送される。逆にモデム２１からの信号も電話回線あるいは電話機付きのファクシミリ装置等の端末２２へ伝えられる。一方、リレー２６がオフしているときには電話回線あるいは電話機付きのファクシミリ装置等の端末２２からの信号はリレー２６経由ではモデム２１へ伝送されず、逆にモデム２１からの信号もリレー２６経由では電話回線あるいは電話機付きのファクシミリ装置等の端末２２へ伝送されない。しかし、リレー２６と並列に抵抗２４とコンデンサ２５があるので、交流信号は双方に伝達することが可能となる。
【００１４】
すなわち、たとえば電話をすることを例にあげれば、双方の音声信号のやりとりは一方の電話からもう一方の電話を呼び出し、受話器をとった瞬間から始まる。従って、両者のいわゆるオフフックリレーがオンの状態でなければ相手側の状態は知ることができない。ところが本発明におけるモデム装置の構成をとるならばこれが可能となる。つまり、リレー２６がオフの状態にあっても抵抗２４とコンデンサ２５の直列回路を介してＡＣ的に相手側の状態をモニタすることが可能となる。しかも、従来のように外部にわざわざモニタ装置を追加する必要もなくモデム内部の信号処理において十分対応できるものである。また、モデム内に設けられた信号検出および処理手段２７により電話回線あるいは電話機付きのファクシミリ装置等の端末２２からの交流信号、例えばファクシミリにおけるＣＮＧ信号や電話機のＤＴＭＦ信号である＃や＊信号を検出し、これによってパスワードやその他のメッセージを伝送したり、相手側の状態をモニタしたりすることも可能となる。
【００１５】
（実施の形態３）
図３は本発明に係るモデム装置の構成の一実施例を示し、図３において、モデム３１はデジタル・データを公衆電話回線で伝送するためにアナログ信号に変復調する作用をもっており、近年ではその主要回路はＩＣに集積化された構成をとっている。３２はモデムに接続される一般の公衆電話回線であり、モデム３１との間でデータのやりとりを行う。絶縁トランス３３はモデム３１側の電圧レベルと電話回線側の電圧レベルとの差を変圧する作用をもっている。抵抗３４は信号レベルを調整する作用をもっており、コンデンサ３５は直流信号を遮断する作用をもっている。第１のリレー４１は電話機付きのファクシミリ装置等の端末４５あるいはモデム３１に接続するのが電話回線３２か直流電源４７かを選択する作用をもっており、第２のリレー４２はモデム３１と電話回線３２との接続を制御する作用をもっており、第３のリレー４３は直流ループを形成するために設けられたダイオードブリッジ４６および直流回路４７をバイパスするか否かを制御する作用をもっており、第４のリレー４４はリング信号発生回路４８で作ったリング信号を電話機付きのファクシミリ装置等の端末４５へ送信するか否かを制御する作用をもっている。リング信号発生回路４８は通常の公衆電話回線を通して伝送されるリング信号と同様な信号を発生させる作用をもっており、ここで発生されたリング信号が電話機に伝送される。すなわち、モデム３１から電話機付きのファクシミリ装置等の端末４５にリング信号を伝送できる、つまり呼び出しが可能となる。
【００１６】
次にこのように構成された実施例の動作について説明する。まず、電話回線３２とモデム３１との間で伝送が行われるときには、第１のリレー４１はオフ（図３においては上側、以下すべてのリレーにおいて上側がオフで下側がオン）、第２のリレー４２はオン、第３のリレー４３はオフ、第４のリレー４４はオフされる。この状態においては回線に直流ループが形成され、モデム３１は絶縁トランス３３を介して電話回線３２と接続され、通常の伝送が行われる。
【００１７】
次に、従来の構成において電話機付きのファクシミリ装置等の端末４５とモデム３１との間で伝送が行われるときには、第１のリレー４１はオン、第２のリレー４２はオフ、第３のリレー４３はオフ（従来の構成においては本リレーは存在しないために等価的にオフとしておく）、第４のリレーはオフされる。この状態のときには、ダイオードブリッジ４６には直流電圧が印可されていないためダイオードはオフしており、電話機付きのファクシミリ装置等の端末４５とモデム３１との間の信号は、レベルが低下するために確実な通信が不可能となる。しからば、第２のリレー４２をオンし、ダイオードブリッジ４６を導通させればよいのであるが、こうすると直流電源４９は、電話機付きのファクシミリ装置等の端末４５ならびに直流回路４７の双方に電流供給が必要となり、電源の構成も大容量で高価なものが必要となる。そこで本実施例では第３のリレー４３を設け、これをオンすることによりダイオードブリッジ４６と直流回路４７をバイパスさせ、電話機付きのファクシミリ装置等の端末４５とモデム３１との間で通信を可能とするものである。
【００１８】
さらに本実施例によれば、電話機付きのファクシミリ装置等の端末４５が電話回線３２を介して他の端末と通信を行う場合、その回線信号のモニタが必要な場合にも、上記と同様に第２のリレー４２をオフ、第３のリレー４３をオンすることにより、ダイオードブリッジ４６と直流回路４７をバイパスされる。これにより、ダイオードによる電圧降下なしで回線信号のモニタが可能となる。
【００１９】
【発明の効果】
以上のように本発明によれば、上記した構成によって、従来のように外部にわざわざモニタ装置を追加する必要もなく、簡単な回路構成によって電話回線や電話機のモニタが可能になるという有利な効果が得られる。
【図面の簡単な説明】
【図１】図１は本発明の一実施の形態によるモデム装置を示す図
【図２】図２は本発明の一実施の形態によるモデム装置を示す図
【図３】図３は本発明の一実施の形態によるモデム装置を示す図
【図４】図４は従来のモデム装置を示す図
【符号の説明】
１１  モデム
１２  電話回線あるいは電話機付きのファクシミリ装置等の端末
１３  絶縁トランス
１４  抵抗
１５  コンデンサ
１６  リレー
２１  モデム
２２  電話回線あるいは電話機付きのファクシミリ装置等の端末
２３  絶縁トランス
２４  抵抗
２５  コンデンサ
２６  リレー
２７  信号検出および処理手段
３１  モデム
３２  電話回線
３３  絶縁トランス
３４  抵抗
３５  コンデンサ
４１  第１のリレー
４２  第２のリレー
４３  第３のリレー
４４  第４のリレー
４５  電話機付きのファクシミリ装置等の端末
４６  ダイオードブリッジ
４７  直流回路
４８  リング信号発生回路
４９  直流電源
【図１】
0003731302.tif 000002
【図２】
0003731302.tif 000003
【図３】
0003731302.tif 000004
【図４】
0003731302.tif 000005